(57)【特許請求の範囲】
【請求項１】
共に水平断面円形であって上部開口状の容器本体と、可撓性を有する樹脂で形成された下部開口状の蓋体とからなり、前記容器本体の上部外周面に形成された環状の容器側凸条の下部に、前記蓋体の内周面に形成された環状の蓋体側凸条を位置させて、前記蓋体を前記容器本体の上部に嵌着する容器において、
前記容器本体に、前記容器側凸条の一部を切欠させた切欠部を各々９０°変位させて四箇所に設け、この四箇所の切欠部によって四分割された前記容器側凸条の各部分のうち、相対向する凸条部分の両端部に、斜め上方へ延出し前記容器側凸条よりも薄肉状の斜状片を形成したことを特徴とする容器構造。
【発明の詳細な説明】
【０００１】
【発明の属する技術分野】
本発明は、ウエットティシュ用容器等の蓋体と容器本体とで構成される容器の構造に関する。
【０００２】
【従来の技術】
従来、例えばウエットティシュ用容器にあっては、共に水平断面円形であって可撓性を有する合成樹脂で成形された上部開口状の容器本体と、下部開口状の蓋体とで構成されている。容器本体の上部外周面には、開口部に沿って形成された環状の容器側凸条が設けられており、前記蓋体の内周面には同様に環状の容器側凸条が形成されている。
【０００３】
そして、蓋体を容器本体の上部に配置して下方に押圧すると、蓋体の周面が半径方向に弾性変形して拡開し、蓋体側凸条が容器側凸条を乗り越えて、その下部に到達する。また、このように、蓋体側凸条が容器側凸条を乗り越えて、その下部に到達すると、蓋体の周面が弾性復元して、容器側凸条の下部に蓋体側凸条が位置して係合し、これより蓋体が容器本体に嵌着した状態となる。
【０００４】
また、蓋体を取り外す際には、蓋体を強く上方に引張しつつ回転させる。すると、蓋体側凸条が容器側凸条の下部に圧接することによって蓋体の周面が半径方向に弾性変形して拡開する。したがって、蓋体側凸条は容器側凸条を乗り越えることができ、これにより蓋体を容器本体の上部から取り外すことができる。
【０００５】
【発明が解決しようとする課題】
しかしながら、かかるウエットティシュ用容器にあっては、蓋体を取り外す際には前述のように、蓋体を強く上方に引張しつつ回転させ、蓋体側凸条を容器側凸条の下部に圧接させて蓋体の周面を半径方向に弾性変形させ、蓋体側凸条が容器側凸条を乗り越えるように操作しなければならない。このとき、蓋体が容器本体と密に嵌合していたり、あるいは取り外し作業を行う者の力が微弱であると、蓋体側凸条が容器側凸条を乗り越えることが可能な弾性変形が蓋体の周面に生じない場合がある。その結果、蓋体は回転するのみで容器本体から外れず、蓋体を取り外すことが困難となる不都合があった。
【０００６】
本発明は、このような従来の課題に鑑みてなされたものであり、困難性を伴うことなく容易に蓋体を取り外すことのできる容器構造を提供することを目的とするものである。
【０００７】
【課題を解決するための手段】
前記課題を解決するために請求項１記載の発明にあっては、共に水平断面円形であって上部開口状の容器本体と、可撓性を有する樹脂で形成された下部開口状の蓋体とからなり、前記容器本体の上部外周面に形成された環状の容器側凸条の下部に、前記蓋体の内周面に形成された環状の蓋体側凸条を位置させて、前記蓋体を前記容器本体の上部に嵌着する容器において、前記容器本体に、前記容器側凸条の一部を切欠させた切欠部を各々９０°変位させて四箇所に設け、この四箇所の切欠部によって四分割された前記容器側凸条の各部分のうち、相対向する凸条部分の両端部に、斜め上方へ延出し前記容器側凸条よりも薄肉状の斜状片を形成したものとしている。
【０００８】
かかる発明において、蓋体を容器本体から取り外す際には、手指により蓋体の周面を挾持して押圧しつつ、蓋体を回転させる。すると、容器側凸条が設けられていない切欠部に、蓋体の周面の手指により押圧された部分が合致した時点で、当該部分は中心方向（内側）に弾性変形し、蓋体側凸条も当該部分において弾性変形して部分的に中心方向（内側）へ膨出する。このとき、蓋体を取り外す方向（上方）への引張力が加えられていると、蓋体側凸条の手指での押圧により内側に膨出した部分が、切欠部を通過して容器側凸条よりも上方に変位し、これに伴って蓋体側凸条の他の部分が容器側凸条を乗り越え、蓋体は容器本体から外れる。
【０００９】
つまり、手指により蓋体の周面を挾持して中心方向へ押圧しつつ上方へ引張し、かつ回転させることにより、蓋体は容器本体から容易に外れる。
【００１１】
また、蓋体を９０°以内で回転させるのみで、蓋体側凸条の手指での押圧により内側に膨出した部分が蓋体の回転に伴って切欠部と合致し、少ない回転操作で蓋体を迅速に取り外すことができる。
【００１２】
さらに、蓋体を左に回転させた場合、及び右に回転させた場合のいずれであっても、蓋体側凸条の手指での押圧により内側に膨出した部分が斜状片に摺接して斜め上方にガイドされ、蓋体の回転に伴って切欠部を通過し、円滑に蓋体の取り外しを行うことができる。
【００１３】
【発明の実施の形態】
以下、本発明の実施の形態を図に従って説明する。本実施の形態にかかるウエットティシュ用容器は、図１に示す容器本体１と、図２に示す蓋体２とで構成される。容器本体１は、水平断面円形であって可撓性を有する合成樹脂で成形されており、図１に示すように、底面部１１及び周面部１２を有するとともに、上部に開口部１３を有している。周面部１２の上端外周面であって、開口部１３の近傍には、第１容器側凸条１４、第２容器側凸条１５、第３容器側凸条１６、及び第４容器側凸条１７が同一高さ位置に設けられている。これにより、第１〜第４容器側凸条１４〜１７の下部には、これら第１〜第４容器側凸条１４〜１７よりも相対的に低い部分からなる溝部２０が形成されている。
【００１４】
また、第１〜第４容器側凸条１４〜１７間には、各々切欠部１８が設けられている。各切欠部１８は、容器側凸条１４〜１７が設けられていない上端外周面の一般面からなる。また、各切欠部１８は、各々９０°変位させた位置に設けられており、これによって第１〜第４容器側凸条１４〜１７に四分割されている。
【００１５】
前記第１容器側凸条１４と第３容器側凸条１６の両端部には、斜状片１９が延設されている。各斜状片１９は斜め上方に延出し、その長さは切欠部１８のほぼ１／２であって、容器側凸条１４〜１７よりも薄肉状（容器側凸条１４〜１７よりも容器本体１の外周面からの突出量が少ない）に形成されている。
【００１６】
一方、図２に示す蓋体２も同様に、水平断面円形であって可撓性を有する合成樹脂で成形されており、上面部２１及び周面部２２を有するとともに、下部に開口部２３を有している。開口部２３は、前記容器本体１の上端部外周径よりもやや大きい内周径を有しており、また、周面部２２の内周面であって、開口部２３の近傍には、環状の蓋体側凸条２４が全周に亙って設けられている。
【００１７】
なお、蓋体２の上面部２１には、ウエットティシュが挿通する挿通孔２５と、この挿通孔２５を開閉自在に閉鎖するヒンジキャップ部２６とが設けられている。
【００１８】
以上の構成にかかる本実施の形態において、蓋体２を容器本体１の上部に配置して下方に押圧すると、蓋体２の周面部２２が半径方向に弾性変形して拡開し、蓋体側凸条２４が容器側凸条１４〜１７を乗り越えて、その下部の溝部２０に到達する。そして、このように、蓋体側凸条２４が容器側凸条１４〜１７を乗り越えて、その下部の溝部２０に到達すると、蓋体２の周面部２２が弾性復元して、容器側凸条１４〜１７の下部の溝部２０に蓋体側凸条２４が位置して係合し、これより蓋体２が容器本体１に嵌着した状態となる。
【００１９】
また、このようにして容器本体１に嵌着された蓋体２を取り外す際には、手指により例えば図２に示すように、蓋体２の周面部２２における相対向する部分Ｐ１、Ｐ２を挾持して押圧しつつ、蓋体２を回転させる。すると、容器側凸条１４〜１７が設けられていない切欠部１８、１８に、蓋体２の周面の手指により押圧された部分Ｐ１、Ｐ２が合致した時点で、当該部分Ｐ１、Ｐ２は中心方向（内側）に弾性変形し、蓋体側凸条２４も当該部分Ｐ１、Ｐ２において弾性変形して部分的に中心方向（内側）へ膨出する。
【００２０】
このとき、蓋体２を取り外す方向（上方）への引張力Ｆが加えられていると、蓋体側凸条２４の手指での押圧により内側に膨出した部分Ｐ１、Ｐ２が斜状片１９に摺接して斜め上方にガイドされ、切欠部１８、１８を通過して、容器側凸条１４〜１７よりも上方に変位する。これに伴って蓋体側凸条２４の他の部分が容器側凸条１４〜１７を乗り越え、蓋体２は容器本体１から外れる。
【００２１】
つまり、手指により蓋体２の周面部２２を挾持して中心方向へ押圧（Ｐ１、Ｐ２）しつつ上方へ引張し（Ｆ）、かつ回転させることにより、蓋体２は容器本体１から容易に外れる。よって、蓋体２が容器本体１と密に嵌合していたり、あるいは取り外し作業を行う者の力が微弱であっても、困難性を伴うことなく容易に蓋体２の取り外しを行うことができる。
【００２２】
しかも、切欠部１８は、各々９０°変位させて四箇所に設けられていることから、蓋体２を９０°以内で回転させるのみで、蓋体側凸条２４の手指での押圧により内側に膨出した部分Ｐ１、Ｐ２が回転に伴って切欠部１８と合致し、少ない回転操作で蓋体を迅速に取り外すことができる。
【００２３】
加えて、第１容器側凸条１４と第３容器側凸条１６の両端部には、斜状片１９が延設されていることから、蓋体２を左に回転させた場合、及び右に回転させた場合のいずれであっても、蓋体側凸条２４の手指での押圧により内側に膨出した部分Ｐ１、Ｐ２が、蓋体の回転に伴って切欠部１８を通過するようにガイドされ、円滑に蓋体２の取り外しを行うことができる。
【００２４】
なお、本実施の形態においては、本発明をウエットティシュ用容器に適用した場合を示したが、他の用途に用いる容器にも適用し得ることは勿論である。
【００２５】
【発明の効果】
以上説明したように本発明によれば、手指により蓋体の周面を挾持して中心方向へ押圧しつつ上方へ引張し、かつ回転させることにより、蓋体を容器本体から外すことができる。よって、蓋体が容器本体と密に嵌合していたり、あるいは取り外し作業を行う者の力が微弱であっても、困難性を伴うことなく容易に蓋体の取り外しを行うことができる。
【００２６】
また、蓋体を９０°以内で回転させるのみで取り外すことができ、少ない回転操作で蓋体を迅速に取り外すことができる。
【００２７】
さらに、蓋体を左に回転させた場合、及び右に回転させた場合のいずれであっても、蓋体を容易かつ迅速に取り外すことができる。
【図面の簡単な説明】
【図１】本発明の一実施の形態にかかる容器本体を示す図であって、（Ａ）は容器本体の平面図、（Ｂ）は正面図である。
【図２】同実施の形態かかる蓋体の断面図である。
【符号の説明】
１    容器本体
２    蓋体
１１    底面部
１２    周面部
１３    開口部
１４    第１容器側凸条
１５    第２容器側凸条
１６    第３容器側凸条
１７    第４容器側凸条
１８    切欠部
１９    斜状片
２０    溝部
２１    上面部
２２    周面部
２３    開口部
２４    蓋体側凸条
２５    挿通孔
２６    ヒンジキャップ部
【図１】
0003621920.tif 000002
【図２】
0003621920.tif 000003